(57)【要約】【課題】特定の携帯端末メーカから携帯端末制御用システムが流出することによって、他の携帯端末メーカの携帯端末に書き込まれている制御情報が改竄されることを、低コストで防止すること。【解決手段】プログラム及びデータを記憶するための記憶領域１２と、携帯端末制御用システム２０との間で通信を行う通信部１１と、通信部１１を介して、携帯端末制御用システム２０から、記憶領域１２の更新を受け付ける更新受付部１６と、を含む携帯端末１０であって、記憶領域１２には、所定の認証用コードが記憶され、当該携帯端末１０は、通信部１１を介して、携帯端末制御用システム２０から認証用コードを受信する認証用コード受信部１４と、認証用コード受信部１４により認証用コードが受信されているか否かに応じて、更新受付部１６による受け付けを制限する更新制限部１７と、をさらに含む、ことを特徴とする。【選択図】図２
2007329900.tif 000002
【特許請求の範囲】
【請求項１】
プログラム及びデータを記憶するための記憶領域と、
携帯端末制御用システムとの間で通信を行う通信手段と、
前記通信手段を介して、前記携帯端末制御用システムから、前記記憶領域の更新を受け付ける更新受付手段と、
を含む携帯端末であって、
前記記憶領域には、所定の認証用コードが記憶され、
当該携帯端末は、
前記通信手段を介して、前記携帯端末制御用システムから前記認証用コードを受信する認証用コード受信手段と、
前記認証用コード受信手段により前記認証用コードが受信されているか否かに応じて、前記更新受付手段による受け付けを制限する更新制限手段と、
をさらに含む、
ことを特徴とする携帯端末。
【請求項２】
請求項１に記載の携帯端末と通信を行う携帯端末制御用システムであって、
前記認証用コードを記憶する記憶手段と、
前記携帯端末との間で通信を行う対携帯端末通信手段と、
前記対携帯端末通信手段を介して、前記携帯端末に対し、前記認証用コードを送信する認証用コード送信手段と、
前記対携帯端末通信手段を介して、前記携帯端末の前記記憶領域の更新を行う更新手段と、
を含むことを特徴とする携帯端末制御用システム。
【請求項３】
請求項１に記載の携帯端末と、請求項２に記載の携帯端末制御用システムと、を含む携帯端末システムであって、
前記認証用コード送信手段は、所与の暗号化情報に基づいて暗号化した前記認証用コードを送信し、
前記携帯端末は、
前記認証用コード受信手段により受信された前記認証用コードを、前記暗号化情報に基づいて復号化する復号化手段、
をさらに含み、
前記更新制限手段は、前記復号化手段により復号化された認証用コードと、前記記憶領域に記憶される認証用コードと、に基づいて、前記更新受付手段による受け付けを制限する、
ことを特徴とする携帯端末システム。
【請求項４】
請求項３に記載の携帯端末システムにおいて、
前記携帯端末は、
前記携帯端末制御用システムに対し、前記暗号化情報を取得するための暗号化情報基礎情報を送信する暗号化情報基礎情報送信手段、
をさらに含み、
前記携帯端末制御用システムは、
前記暗号化情報基礎情報送信手段により送信される暗号化情報基礎情報に基づいて前記暗号化情報を取得する暗号化情報取得手段、
をさらに含む、
ことを特徴とする携帯端末システム。
【請求項５】
請求項４に記載の携帯端末システムにおいて、
前記暗号化情報基礎情報は、携帯端末を識別するための携帯端末固有番号情報であることを特徴とする携帯端末システム。
【請求項６】
請求項４に記載の携帯端末システムにおいて、
前記暗号化情報基礎情報は、前記通信手段の較正のためにあらかじめ記憶された較正データであることを特徴とする携帯端末システム。
【請求項７】
請求項４に記載の携帯端末システムにおいて、
前記暗号化情報基礎情報は、前記通信手段の較正のためにあらかじめ記憶された較正データおよび携帯端末を識別するための携帯端末固有番号情報に基づく情報であることを特徴とする携帯端末システム。
【請求項８】
請求項６又は請求項７に記載の携帯端末システムにおいて、
前記較正データは、前記携帯端末の送信する無線信号の強度を調整するための指標である無線強度用調整値情報であることを特徴とする携帯端末システム。
【請求項９】
請求項６又は請求項７に記載の携帯端末システムにおいて、
前記較正データは、前記携帯端末が送信する無線信号の強度を測定するための指標である送信強度測定用調整値情報であることを特徴とする携帯端末システム。
【請求項１０】
請求項６又は請求項７に記載の携帯端末システムにおいて、
前記較正データは、前記携帯端末が受信する無線信号の強度を測定するための指標である受信強度測定用調整値情報であることを特徴とする携帯端末システム。
【請求項１１】
請求項６又は請求項７に記載の携帯端末システムにおいて、
前記較正データは、前記携帯端末が測定する温度を測定するための指標である温度測定用調整値情報であることを特徴とする携帯端末システム。
【請求項１２】
請求項６又は請求項７に記載の携帯端末システムにおいて、
前記較正データは、前記携帯端末に搭載される発信機が発信する周波数を調節するための指標である周波数調整値情報であることを特徴とする携帯端末システム。
【請求項１３】
請求項５又は請求項７に記載の携帯端末システムにおいて、
前記携帯端末固有番号情報は前記携帯端末毎に異なる端末ＩＤ情報であることを特徴とする携帯端末システム。
【請求項１４】
請求項５又は請求項７に記載の携帯端末システムにおいて、
前記携帯端末固有番号情報は前記携帯端末に付与された電話番号であることを特徴とする携帯端末システム。
【請求項１５】
請求項３乃至１４のいずれか１項に記載の携帯端末システムであって、
前記認証用コードは、携帯端末メーカごとに異なる、
ことを特徴とする携帯端末システム。
【請求項１６】
プログラム及びデータを記憶するための記憶領域と、
携帯端末制御用システムとの間で通信を行う通信手段と、
前記通信手段を介して、前記携帯端末制御用システムから、前記記憶領域の更新を受け付ける更新受付手段と、
を含む携帯端末制御方法であって、
前記記憶領域に所定の認証用コードを記憶するステップと、
当該携帯端末は、
前記通信手段を介して、前記携帯端末制御用システムから前記認証用コードを受信するステップと、
前記認証用コードが受信されているか否かに応じて、前記更新受付手段による受け付けを制限するステップと、
をさらに含む、
ことを特徴とする携帯端末制御方法。
【発明の詳細な説明】
【技術分野】
【０００１】
本発明は携帯端末、携帯端末制御用システム、携帯端末システム、及び携帯端末制御方法に関する。
【背景技術】
【０００２】
携帯端末メーカは、ＯＥＭ供給メーカから携帯端末のＯＥＭ供給を受けていることがある。複数の携帯端末メーカが同一のＯＥＭ供給メーカから同一の携帯端末のＯＥＭ供給を受け、ブランドのみ違えて販売していることも少なくない。
【０００３】
ところで、携帯端末メーカが携帯端末を販売するに際しては、携帯端末に電話番号を書き込む必要がある。また、携帯端末メーカごとに、携帯電話に搭載するアプリケーションが異なる場合がある。
【０００４】
このため、携帯端末メーカは、ＯＥＭ供給された携帯端末に対し、パソコンから、電話番号やアプリケーションなどの制御情報を書き込むための書込機能を有する携帯端末制御用システムを必要とする。この携帯端末制御用システムも、携帯端末とともに、ＯＥＭ供給メーカから供給される。この結果、各携帯端末メーカは、同じ携帯端末制御用システムを保有することになる。
【０００５】
なお、特許文献１には、携帯端末制御用システムの例が記載されている。特許文献１に記載の携帯端末制御用システムは、携帯端末に暗号鍵を書き込む機能を有している。
【特許文献１】特開２００３−３０９５５２号公報
【発明の開示】
【発明が解決しようとする課題】
【０００６】
しかしながら、各携帯端末メーカが同じ携帯端末制御用システムを保有しているということは、各携帯端末メーカは、他の携帯端末メーカの携帯端末にも制御情報を書き込むことができるということを意味する。
【０００７】
このため、特定の携帯端末メーカにおける携帯端末制御用システムの管理状態が悪く、携帯端末制御用システムが流出すると、該特定の携帯端末メーカの携帯端末に書き込まれている制御情報が不正に改竄されてしまうのは仕方ないとしても、他の携帯端末メーカの携帯端末にまで不正改竄が及んでしまうおそれがある。
【０００８】
とはいえ、携帯端末メーカごとに異なる携帯端末制御用システムを供給することは、携帯端末制御用システムの開発・製造コストの増大につながるため、望ましくない。
【０００９】
従って、本発明の課題の一つは、特定の携帯端末メーカから携帯端末制御用システムが流出することによって、他の携帯端末メーカの携帯端末に書き込まれている制御情報が改竄されることを、低コストで防止できる携帯端末、携帯端末制御用システム、及び携帯端末システムを提供することにある。
【課題を解決するための手段】
【００１０】
上記課題を解決するための本発明にかかる携帯端末は、プログラム及びデータを記憶するための記憶領域と、携帯端末制御用システムとの間で通信を行う通信手段と、通信手段を介して、携帯端末制御用システムから、記憶領域の更新を受け付ける更新受付手段と、を含む携帯端末であって、記憶領域には、所定の認証用コードが記憶され、当該携帯端末は、通信手段を介して、携帯端末制御用システムから認証用コードを受信する認証用コード受信手段と、認証用コード受信手段により認証用コードが受信されているか否かに応じて、更新受付手段による受け付けを制限する更新制限手段と、をさらに含む、ことを特徴とする。
【００１１】
これによれば、携帯端末制御用システムに認証用コードを記憶させておき、通信しようとする携帯端末に対して送信させるという低コストな構成により、特定の携帯端末メーカから携帯端末制御用システムが流出することによって、他の携帯端末メーカの携帯端末に書き込まれている制御情報が改竄されることを防止できる。
【００１２】
また、本発明にかかる携帯端末制御用システムは、上記携帯端末と通信を行う携帯端末制御用システムであって、認証用コードを記憶する記憶手段と、携帯端末との間で通信を行う対携帯端末通信手段と、対携帯端末通信手段を介して、携帯端末に対し、認証用コードを送信する認証用コード送信手段と、対携帯端末通信手段を介して、携帯端末の記憶領域の更新を行う更新手段と、を含むことを特徴とする。
【００１３】
これによれば、携帯端末制御用システムは、携帯端末に対して認証用コードを送信することができるので、携帯端末は、該認証用コードにより、携帯端末制御用システムを認証することができるようになる。
【００１４】
また、本発明にかかる携帯端末システムは、上記携帯端末と、上記携帯端末制御用システムと、を含む携帯端末システムであって、認証用コード送信手段は、所与の暗号化情報に基づいて暗号化した認証用コードを送信し、携帯端末は、認証用コード受信手段により受信された認証用コードを、暗号化情報に基づいて復号化する復号化手段、をさらに含み、更新制限手段は、復号化手段により復号化された認証用コードと、記憶領域に記憶される認証用コードと、に基づいて、更新受付手段による受け付けを制限する、ことを特徴とする。
【００１５】
これによれば、暗号化した認証用コードを送信するので、認証用コードの不正取得が防止される。
【００１６】
また、上記携帯端末システムにおいて、携帯端末は、携帯端末制御用システムに対し、暗号化情報を取得するための暗号化情報基礎情報を送信する暗号化情報基礎情報送信手段、をさらに含み、携帯端末制御用システムは、暗号化情報基礎情報送信手段により送信される暗号化情報基礎情報に基づいて暗号化情報を取得する暗号化情報取得手段、をさらに含む、こととしてもよい。
【００１７】
これによれば、携帯端末から送信された暗号化情報基礎情報に基づいて取得される暗号化情報が使用されるので、認証用コードの不正取得がより確実に防止される。
【００１８】
また、この携帯端末システムにおいて、暗号化情報基礎情報は、携帯端末を識別するための携帯端末固有番号情報である、こととしてもよい。
【００１９】
また、この携帯端末システムにおいて、暗号化情報基礎情報は、通信手段の較正のためにあらかじめ記憶された較正データであることを特徴としてもよい。
【００２０】
また、この携帯端末システムにおいて、
前記暗号化情報基礎情報は、通信手段の較正のためにあらかじめ記憶された較正データおよび携帯端末を識別するための携帯端末固有番号情報に基づく情報であることを特徴としてもよい。
【００２１】
これらによれば、暗号化情報基礎情報は携帯端末ごとに異なるので、認証用コードの不正取得がより確実に防止される。
【００２２】
また、この携帯端末システムにおいて、較正データは、携帯端末の送信する無線信号の強度を調整するための指標である無線強度用調整値情報であることを特徴としてもよい。
【００２３】
また、この携帯端末システムにおいて、較正データは、携帯端末が送信する無線信号の強度を測定するための指標である送信強度測定用調整値情報であることを特徴としてもよい。
【００２４】
また、この携帯端末システムにおいて、較正データは、携帯端末が受信する無線信号の強度を測定するための指標である受信強度測定用調整値情報であることを特徴としてもよい。
【００２５】
また、この携帯端末システムにおいて、較正データは、携帯端末が測定する温度を測定するための指標である温度測定用調整値情報であることを特徴としてもよい。
【００２６】
また、この携帯端末システムにおいて、前記較正データは、前記携帯端末に搭載される発信機が発信する周波数を調節するための指標である周波数調整値情報であることを特徴としてもよい。
【００２７】
また、この携帯端末システムにおいて、携帯端末固有番号情報は携帯端末毎に異なる端末ＩＤ情報であることを特徴としてもよい。
【００２８】
また、この携帯端末システムにおいて、前記携帯端末固有番号情報は前記携帯端末に付与された電話番号またはＩＰアドレスであることを特徴としてもよい。
【００２９】
さらに、上記各携帯端末システムであって、認証用コードは、携帯端末メーカごとに異なる、こととしてもよい。
【００３０】
これによれば、認証用コードは携帯端末メーカごとに異なるので、特定の携帯端末メーカから携帯端末制御用システムが流出することによって、他の携帯端末メーカの携帯端末に書き込まれている制御情報が改竄されることが防止される。
【００３１】
さらに、プログラム及びデータを記憶するための記憶領域と、携帯端末制御用システムとの間で通信を行う通信手段と、前記通信手段を介して、前記携帯端末制御用システムから、前記記憶領域の更新を受け付ける更新受付手段と、を含む携帯端末制御方法であって、前記記憶領域に所定の認証用コードを記憶するステップと、当該携帯端末は、前記通信手段を介して、前記携帯端末制御用システムから前記認証用コードを受信するステップと、前記認証用コードが受信されているか否かに応じて、前記更新受付手段による受け付けを制限するステップと、をさらに含む、ことを特徴とする。
【発明を実施するための最良の形態】
【００３２】
本発明の実施の形態について、図面を参照しながら説明する。
【００３３】
図１は、本実施の形態にかかる携帯端末システム１のシステム構成を示す図である。同図に示すように、携帯端末システム１は、Ａ社用携帯端末１０−Ａ、Ｂ社用携帯端末１０−Ｂ、Ａ社用携帯端末制御用システム２０−Ａ、Ｂ社用携帯端末制御用システム２０−Ｂ、を含んで構成される。なお、Ａ社及びＢ社は、いずれも携帯端末メーカである。
【００３４】
Ａ社用携帯端末１０−Ａ及びＢ社用携帯端末１０−Ｂは、いずれもＰＨＳ端末として機能し、その構成及び機能は原則として同一である。すなわち、Ａ社用携帯端末１０−Ａ及びＢ社用携帯端末１０−Ｂは、いずれも同一ＯＥＭ供給メーカ（ここではＫ社とする。）が製造し、それぞれＡ社及びＢ社にＯＥＭ供給したものである。
【００３５】
Ａ社用携帯端末制御用システム２０−Ａ及びＢ社用携帯端末制御用システム２０−Ｂは、いずれもＰＨＳ端末に対する楽曲ダウンロードツールとして機能し、その構成及び機能は原則として同一である。すなわち、Ａ社用携帯端末制御用システム２０−Ａ及びＢ社用携帯端末制御用システム２０−Ｂも、いずれもＫ社が製造し、それぞれＡ社及びＢ社にＯＥＭ供給したものである。
【００３６】
このように、Ａ社用携帯端末１０−ＡとＢ社用携帯端末１０−Ｂの構成及び機能は原則同一であり、Ａ社用携帯端末制御用システム２０−ＡとＢ社用携帯端末制御用システム２０−Ｂの構成及び機能も原則同一であるので、そのままの状態では、例えばＡ社用携帯端末制御用システム２０−Ａが流出することによって、Ｂ社用携帯端末１０−Ｂに書き込まれている制御情報が改竄され得ることになる。
【００３７】
本実施の形態では、この改竄が防止される。すなわち、Ａ社用携帯端末制御用システム２０−Ａを利用してＢ社用携帯端末１０−Ｂに書き込まれている制御情報を更新すること、及びＢ社用携帯端末制御用システム２０−Ｂを利用してＡ社用携帯端末１０−Ａに書き込まれている制御情報を更新すること、が制限される。以下、このための機能の詳細について説明する。
【００３８】
図２は、携帯端末１０と携帯端末制御用システム２０の機能ブロックを示す図である。同図に示すように、携帯端末１０は機能的に、通信部１１、記憶領域１２、暗号化情報基礎情報送信部１３、認証用コード受信部１４、復号化部１５、更新受付部１６、更新制限部１７を含んで構成される。また、携帯端末制御用システム２０は機能的に、通信部２１、記憶部２２、暗号化情報取得部２３、認証用コード送信部２４、暗号化部２５、更新部２６を含んで構成される。
【００３９】
通信部１１と通信部２１とは、ＵＳＢ等の通信手段により接続されており、互いに通信を行う。
【００４０】
記憶領域１２は、制御情報を記憶するための記憶領域である。制御情報はプログラムやデータにより構成される。制御情報の具体的な例には、電話番号、アプリケーション、着メロ用楽曲データなどが挙げられる。また、記憶領域１２には、携帯端末メーカごとに異なる認証用コードと、暗号化情報を生成するための暗号化情報基礎情報と、についても記憶されている。
【００４１】
認証用コードについては、Ａ社用携帯端末１０−Ａの記憶領域１２にはＡ社に割り当てられた認証用コードが、Ｂ社用携帯端末１０−Ｂの記憶領域１２にはＢ社に割り当てられた認証用コードが、それぞれ記憶される。また、暗号化情報基礎情報は携帯端末１０ごとに異なる情報であることが望ましく、その具体的な例としては、例えば当該携帯端末１０の送信する無線信号の強度を調整するための指標である無線強度用調整値情報などの較正データと、当該携帯端末１０を識別するための携帯端末固有番号情報と、が挙げられる。
【００４２】
暗号化情報基礎情報送信部１３は、通信部１１が携帯端末制御用システム２０から所定の情報送信要求信号を受信した場合に、該携帯端末制御用システム２０に対し、記憶領域１２に記憶している暗号化情報基礎情報を少なくとも１つ送信する。上記具体的な例では、無線強度用調整値情報又は携帯端末固有番号情報のうちいずれか少なくとも１つを送信する。
【００４３】
認証用コード受信部１４は、通信部１１を介して、携帯端末制御用システム２０から認証用コードを受信する。後述するように、この認証用コードは、暗号化情報基礎情報送信部１３が送信した暗号化情報基礎情報に基づいて取得された暗号化情報に基づいて暗号化されている。復号化部１５は、携帯端末制御用システム２０で行われる処理と同様の処理により、暗号化情報基礎情報送信部１３により送信された暗号化情報基礎情報に基づいて暗号化情報を取得し、該暗号化情報に基づいて、暗号化された認証用コードを復号化する。
【００４４】
更新受付部１６は、通信部１１を介して、携帯端末制御用システム２０から記憶領域１２の更新を受け付ける。すなわち、記憶領域１２は書き込み可能であり、携帯端末制御用システム２０は、記憶領域１２に対するプログラムやデータの書き込み処理、及び記憶領域１２に記憶されるプログラムやデータの消去処理を行うことにより、記憶領域１２の更新処理を行う。更新受付部１６は、この更新処理を受け付け、携帯端末制御用システム２０に記憶領域１２を更新させる。
【００４５】
更新制限部１７は、認証用コード受信部１４により認証用コードが受信されているか否かに応じて、更新受付部１６による更新処理の受け付けを制限する。具体的には、更新制限部１７は、復号化部１５により復号化された認証用コードと、記憶領域１２に記憶される認証用コードと、に基づいて、更新受付部１６による更新処理の受け付けを制限する。より具体的には、復号化部１５により復号化された認証用コードが、記憶領域１２に記憶される認証用コードに一致しない限り、常に更新受付部１６による更新処理の受け付けを制限する。
【００４６】
記憶部２２は上記認証用コードを記憶する。具体的には、Ａ社用携帯端末制御用システム２０−Ａの記憶部２２はＡ社に割り当てられた認証用コードを、Ｂ社用携帯端末制御用システム２０−Ｂの記憶部２２はＢ社に割り当てられた認証用コードを、それぞれ記憶する。
【００４７】
暗号化情報取得部２３は、後述する更新部２６が、これからその記憶領域１２を更新しようとする携帯端末１０（以下、更新対象携帯端末１０と称する。）に対し、通信部２１を介して、暗号化情報基礎情報の問い合わせを行う。具体的には、所定の情報送信要求信号を送信する。こうして送信した情報送信要求信号に対し、携帯端末１０は暗号化情報基礎情報を送信するので、暗号化情報取得部２３はこれを取得する。そして、取得される暗号化情報基礎情報に基づいて暗号化情報を取得する。
【００４８】
認証用コード送信部２４は、通信部２１を介して、更新対象携帯端末１０に対し、記憶部２２に記憶される認証用コードを送信する。このとき、暗号化部２５は、暗号化情報取得部２３により取得された暗号化情報に基づいて、送信しようとする認証用コードを暗号化する。認証用コード送信部２４は、こうして暗号化された認証用コードを送信する。
【００４９】
更新部２６は、認証用コード送信部２４が認証用コードを送信した後、通信部２１を介して、携帯端末１０の記憶領域１２の更新を行う。この更新は、更新制限部１７により更新処理の受け付けが制限されている場合には、携帯端末１０により拒絶されることとなる。
【００５０】
図３は、暗号化情報取得部２３の構成をさらに詳細に示す図である。
【００５１】
同図に示すように、暗号化情報取得部２３は、情報読み出し部５１、較正データ記憶部５３、携帯端末固有番号情報記憶部５５を含んで構成される。
【００５２】
較正データ記憶部５３には、当該携帯端末１０の送信する無線信号の強度を調整するための指標である無線強度用調整値情報、当該携帯端末１０の送信する無線信号の強度を測定した際の誤差を含む測定値を調整し実際の出力電力置を測定可能とするために用いられる送信電力測定用調整値情報、当該携帯端末１０が受信する無線信号の強度を測定した際の誤差を含む測定値を調整し実際の出力電力置を測定可能とするために用いられる受信強度測定用調整値情報、当該携帯端末１０が無線信号を送受信するための系やその周辺の温度を測定した際の誤差を含む測定値を調整し実際の温度を測定可能とするために用いられる温度測定用調整値情報、または当該携帯端末１０が無線信号を送受信するための搬送周波数を決定するために必要となる発信機の発振する周波数が目的の周波数となるよう調整するために用いられる周波数調整値情報、などが当てはまる。
【００５３】
携帯端末固有番号情報記憶部５５には、当該携帯端末１０を当該端末利用者へ供給する回線キャリア会社が個々の当該携帯端末１０に設定する、あるいは工場出荷時に個々の当該携帯端末１０に設定する端末ＩＤ、または当該携帯端末１０を利用者が利用するために回線キャリア会社から割り当てられる電話番号、などが当てはまる。
【００５４】
情報読み出し部５１は、較正データ記憶部５３、または携帯端末固有番号情報記憶部５５に含まれる前述した情報の内、少なくとも一つ以上を選び読み出す。
【００５５】
このようにして、暗号化情報取得部２３は、暗号化情報を取得することが出来る。
【００５６】
以上説明した携帯端末システム１における処理を、携帯端末１０と携帯端末制御用システム２０との間の処理シーケンスを参照しながら、再度より詳細に説明する。
【００５７】
図４は、携帯端末１０と携帯端末制御用システム２０との間の処理シーケンスを示す図である。同図に示すように、携帯端末制御用システム２０は、更新対象携帯端末１０に対し、まず暗号化情報基礎情報の問い合わせを行う（Ｓ１）。この問い合わせに対し、更新対象携帯端末１０は暗号化情報基礎情報を返送する（Ｓ２）。
【００５８】
更新対象携帯端末１０と携帯端末制御用システム２０は、同じ規則に従い、暗号化情報基礎情報に基づいて暗号化情報を取得する（Ｓ３，Ｓ４）。
【００５９】
携帯端末制御用システム２０は、Ｓ３で取得した暗号化情報に基づき、認証用コードを暗号化する（Ｓ５）。そして、暗号化された認証用コードを、更新対象携帯端末１０に対して送信する（Ｓ６）。
【００６０】
更新対象携帯端末１０は、暗号化された認証用コードを受信すると、Ｓ４で取得していた暗号化情報により、これを復号化する（Ｓ７）。そして、記憶している認証用コードと比較し、一致しているか否かを判定する（Ｓ８）。一致していれば、携帯端末制御用システム２０による記憶領域１２の更新処理の受け付け制限を解除する（Ｓ９）。一方、一致していなければ、携帯端末制御用システム２０による記憶領域１２の更新処理の受け付け制限を解除しない。
【００６１】
携帯端末制御用システム２０は、Ｓ６における認証用コードの送信後、更新対象携帯端末１０の記憶領域１２に対する更新処理を行う（Ｓ１０）。この更新処理は、Ｓ９において更新処理の受け付け制限が解除されていれば、更新対象携帯端末１０により受け付けられる。一方、解除されていなければ、更新対象携帯端末１０により拒絶される。
【００６２】
以上説明したように、携帯端末システム１によれば、携帯端末制御用システム２０に認証用コードを記憶させておき、通信しようとする携帯端末１０に対して送信させるという低コストな構成により、特定の携帯端末メーカから携帯端末制御用システム２０が流出することによって、他の携帯端末メーカの携帯端末１０に書き込まれている制御情報が改竄されることを防止できる。
【００６３】
また、携帯端末制御用システム２０は、携帯端末１０に対して認証用コードを送信することができるので、携帯端末１０は、該認証用コードにより、携帯端末制御用システム２０を認証することができるようになる。
【００６４】
さらに、暗号化した認証用コードを送信するので、認証用コードの不正取得が防止される。
【００６５】
また、携帯端末１０から送信された暗号化情報基礎情報に基づいて取得される暗号化情報が使用されるので、認証用コードの不正取得がより確実に防止される。さらに、この暗号化情報基礎情報は携帯端末ごとに異なるので、認証用コードの不正取得がより確実に防止される。
【００６６】
また、認証用コードは携帯端末メーカごとに異なるので、特定の携帯端末メーカから携帯端末制御用システム２０が流出することによって、他の携帯端末メーカの携帯端末に書き込まれている制御情報が改竄されることが防止される。
【図面の簡単な説明】
【００６７】
【図１】本発明の実施の形態にかかる携帯端末システムのシステム構成を示す図である。
【図２】本発明の実施の形態にかかる携帯端末及び携帯端末制御用システムの機能ブロックを示す図である。
【図３】本発明の実施携帯にかかわる暗号化情報取得部の構成を示す図である。
【図４】本発明の実施の形態にかかる携帯端末システムの処理シーケンスを示す図である。
【符号の説明】
【００６８】
１  携帯端末システム、１０  携帯端末、１１  通信部、１２  記憶領域、１３  暗号化情報基礎情報送信部、１４  認証用コード受信部、１５  復号化部、１６  更新受付部、１７  更新制限部、２０  携帯端末制御用システム、２１  通信部、２２  記憶部、２３  暗号化情報取得部、２４  認証用コード送信部、２５  暗号化部、２６  更新部、５１情報読み出し部、５３  較正データ記憶部、５５  端末固有番号情報記憶部。
【図１】
2007329900.tif 000003
【図２】
2007329900.tif 000004
【図３】
2007329900.tif 000005
【図４】
2007329900.tif 000006